(57)【要約】【課題】定量放出機構部の着脱を容易に行うことを実現した氷ディスペンサを提供する。【解決手段】架台３１上には、定量の氷を放出するための定量放出機構部２０が載置されている。また、架台３１には、定量放出機構部２０を着脱可能に保持するための保持機構部３０が設けられている。保持機構部３０は可動軸３２を有しており、可動軸３２が側壁部材２５ａ及びレール２６に当接することによって、定量放出機構部２０が架台３１上に保持されている。また、保持機構部３０は、可動軸３２の両端部を貫通する蝶ボルト３３と、蝶ボルト３３が螺着されるピン３４とを有している。ピン３４は、架台３１の側部に回転可能に支持されている。蝶ボルト３３を緩めて可動軸３２を定量放出機構部２０から離すと、保持機構部３０を一体として回転させることが可能となる。【選択図】図８
2010270921.tif 000002
【特許請求の範囲】
【請求項１】
氷を生成する製氷部と、
外部に氷を放出する放出シュートと、
前記製氷部が生成した氷のうち、所定量の氷を前記放出シュートに供給する定量放出機構部と、
を備えた氷ディスペンサにおいて、
前記定量放出機構部が載置される架台と、
前記定量放出機構部を前記架台に保持する保持機構部と
をさらに備え、
前記保持機構部は、
前記定量放出機構部に当接することにより、前記定量放出機構部を保持可能な横断部材と、
前記架台に回転可能に支持される回転部材と、
前記横断部材と前記回転部材とを連結するとともに、前記横断部材と前記回転部材との距離を増減させる連結調整部材と
を有し、
前記保持機構部は、前記距離を増減させることにより、前記定量放出機構部を前記架台に着脱可能に保持することを特徴とする氷ディスペンサ。
【請求項２】
前記連結調整部材は、一端に頭部を有するとともに他端に雄ねじ部を有し、
前記回転部材は、前記雄ねじ部が螺着される雌ねじ部を有し、
前記横断部材は、前記雄ねじ部の貫通を許容するとともに、前記頭部の貫通を阻止する大きさの貫通孔を有する
請求項１に記載の氷ディスペンサ。
【発明の詳細な説明】
【技術分野】
【０００１】
この発明は氷ディスペンサに係り、特に、所定量の氷を放出するための定量放出機構部を備えた氷ディスペンサの構成に関する。
【背景技術】
【０００２】
特許文献１に記載の氷ディスペンサによれば、内部に氷が貯められる貯氷庫、外部に氷を放出するシュート、及び貯氷庫内の氷をシュートに供給する放出機構が共通のフレームに取り付けられ、１つのユニット（定量放出機構部）として構成されている。放出機構は、底部開口を有する貯氷庫の下方に配置された固定部材と、貯氷庫と固定部材との間に配置され、モータに駆動されて前後方向に移動する移動部材とを有している。また、シュートは、上方側に開口する受渡口と下方側に開口する放出口とを有しており、固定部材の前方に配置されている。
【０００３】
移動部材は上下方向に貫通した複数の孔を有しており、これらの孔は、移動部材が後退した位置にあるときに、貯氷庫の底部開口と固定部材との間に位置するようになっている。すなわち、各孔の下部開口は固定部材によって塞がれた状態となっており、貯氷庫の底部開口から落下した氷が各孔内に保持される。次いで、移動部材を前進させて各孔をシュートの受渡口上に配置すると、各孔内の氷が受渡口からシュート内に落下し、落下した氷が放出口から放出される。移動部材が前進する量を制御してシュートの受渡口上に配置される孔の数を調節することによって、利用者の操作に応じた所定量の氷が放出される。
【先行技術文献】
【特許文献】
【０００４】
【特許文献１】特開２００９−３０８２５号公報
【発明の概要】
【発明が解決しようとする課題】
【０００５】
しかしながら、一般的に、このような定量放出機構部は氷ディスペンサに設けられた狭い空間内に固定されている。すなわち、定量放出機構部を氷ディスペンサから容易に取り外すことができず、また空間内の奥の方に手を入れることが困難であるため、洗浄等のメンテナンスを行う際に手間がかかるという問題点を有していた。
【０００６】
この発明は、このような問題点を解決するためになされたもので、定量放出機構部の着脱を容易に行うことを実現した氷ディスペンサを提供することを目的とする。
【課題を解決するための手段】
【０００７】
この発明に係る氷ディスペンサは、氷を生成する製氷部と、外部に氷を放出する放出シュートと、製氷部が生成した氷のうち、所定量の氷を放出シュートに供給する定量放出機構部と、を備えた氷ディスペンサにおいて、定量放出機構部が載置される架台と、定量放出機構部を架台に保持する保持機構部とをさらに備え、保持機構部は、定量放出機構部に当接することにより、定量放出機構部を保持可能な横断部材と、架台に回転可能に支持される回転部材と、横断部材と回転部材とを連結するとともに、横断部材と回転部材との距離を増減させる連結調整部材とを有し、保持機構部は、距離を増減させることにより、定量放出機構部を架台に着脱可能に保持することを特徴とするものである。
【０００８】
横断部材と回転部材とを、それらの距離を増減させる連結調整部材を介して連結したので、横断部材が定量放出機構部に当接するように距離を減らすことによって、定量放出機構部が架台に保持される。逆に、横断部材と回転部材との距離を増やすことによって、横断部材による定量放出機構部の保持が解除される。ここで、回転部材は架台に回転可能に支持されているため、保持機構部を回転させることが可能となっている。したがって、横断部材による定量放出機構部の保持を解除して保持機構部を回転させれば、架台から定量放出機構部を取り外すことが可能となる。すなわち、横断部材と回転部材との間の距離を増減させるだけで、定量放出機構部が架台に着脱可能に保持されるため、氷ディスペンサにおいて、定量放出機構部の着脱を容易に行うことが可能となる。
【０００９】
連結調整部材は、一端に頭部を有するとともに他端に雄ねじ部を有し、回転部材は、雄ねじ部が螺着される雌ねじ部を有し、横断部材は、雄ねじ部の貫通を許容するとともに、頭部の貫通を阻止する大きさの貫通孔を有してもよい。
【発明の効果】
【００１０】
この発明によれば、氷ディスペンサにおいて、定量放出機構部の着脱を容易に行うことが可能となる。
【図面の簡単な説明】
【００１１】
【図１】この発明の実施の形態１に係る氷ディスペンサを示す斜視図である。
【図２】実施の形態１に係る氷ディスペンサにおける飲料注出部の構成を示す斜視図である。
【図３】実施の形態１に係る氷ディスペンサにおける定量放出機構部の構成を示す断面側面図である。
【図４】実施の形態１に係る氷ディスペンサを示す正面図である。
【図５】実施の形態１に係る氷ディスペンサにおける筐体の内部を示した斜視図である。
【図６】実施の形態１に係る氷ディスペンサにおける定量放出機構部の要部を示す側面図である。
【図７】実施の形態１に係る氷ディスペンサにおける保持機構部を示す斜視図である。
【図８】実施の形態１に係る氷ディスペンサにおける定量放出機構部周辺を示す斜視図である。
【図９】実施の形態１に係る氷ディスペンサにおける定量放出機構部周辺を示す斜視図である。
【図１０】実施の形態１に係る氷ディスペンサにおける定量放出機構部周辺を示す斜視図である。
【図１１】実施の形態１に係る氷ディスペンサにおける放出シュートを示す斜視図である。
【図１２】実施の形態１に係る氷ディスペンサによる氷の放出例を示す側面図である。
【発明を実施するための形態】
【００１２】
以下に、この発明の実施の形態について添付図に基づいて説明する。
実施の形態１．
この実施の形態１に係る氷ディスペンサの構成について、飲料を注出するための飲料注出部を含んだディスペンサ１として適用した場合を例にして説明する。尚、ディスペンサ１における上下方向及び前後方向を、図１に示す矢印により規定する。
【００１３】
図１に示すように、ディスペンサ１は下部筐体２を備えている。下部筐体２の内部には、外部より供給される製氷用水から氷を生成する製氷部４と、製氷部４で生成された氷を貯めるストッカ５とが設けられている。下部筐体２の上部には、ストッカ５内の氷を外部に放出するための氷放出部７と、飲料を注出するための飲料注出部８とが隣接して設けられている。ここで、下部筐体２の上面において、氷放出部７及び飲料注出部８、飲料注出口６０、６１の前方側に位置する部位は、氷放出部７から放出される氷や、飲料注出部８及び飲料注出口６０、６１から注出される飲料が注がれる容器が載置されるステージ２ａとして用いられる。
【００１４】
氷放出部７は、前面開口を有する箱体である上部筐体３を備えている。上部筐体３の前部には、氷を外部に放出するための放出シュート６が設けられており、上部筐体３の内部には、所定量の氷を放出シュート６に供給する定量放出機構部２０が着脱可能となるように収容されている。また、上部筐体３の内部において、定量放出機構部２０の側部には、ストッカ５内の氷を定量放出機構部２０に搬送するための氷搬送装置１１が設けられている。
【００１５】
氷搬送装置１１は、定量放出機構部２０の側部からストッカ５内に延在する円筒状の搬送パイプ１２を備えており、搬送パイプ１２の内部には、螺旋体１３ａを外周部に有するスクリュー１３が回転可能に設けられている。スクリュー１３は、上部筐体３の上部に設けられたモータ１４に連結されており、モータ１４に駆動されてスクリュー１３が回転すると、螺旋体１３ａが搬送パイプ１２の内周面に沿って回転移動するようになっている。搬送パイプ１２の下端部には図示しない開口部が形成されており、この開口部を介してストッカ５内の氷が搬送パイプ１２内に導かれるようになっている。また、搬送パイプ１２の上端部には、搬送パイプ１２内の氷を定量放出機構部２０に供給するための供給部材１２ａが設けられている。
【００１６】
図２に示すように、飲料注出部８は、前方側及び上方側に開口する収容部９を備えており、収容部９の内部には、注出する飲料を内部に貯める６つの注出タンク４１が横方向に並べられた状態で配置されている。各注出タンク４１の前面における底部側に位置する部位には、飲料を注出するための注出コック４２が取り付けられている。また、各注出コック４２の上部には、飲料の注出動作の継続と停止とを切り替えるための注出機構部４３が配置されている。注出タンク４１及び注出コック４２は、注出機構部４３によって収容部９の内部に拘束されており、注出機構部４３による拘束を解除すると、注出タンク４１と注出コック４２とを一体として取り外すことが可能となっている。また、収容部９の背面には、飲料を生成するための湯を飲料注出部８に供給する給湯部１０が設けられている。
【００１７】
ここで、図３を用いて、定量放出機構部２０の構成について説明する。
図３に示すように、定量放出機構部２０は、氷搬送装置１１からの氷が内部に供給される貯氷庫２１を備えている。貯氷庫２１は箱状の部材であって、その前方側及び後方側の壁部は、上方から下方に向かうにつれて互いに近接するように傾斜している。貯氷庫２１の内部には、上部筐体３内に設けられたモータ１５（図５参照）に駆動されて回転し、供給された氷を攪拌するアジテータ２１ａが設けられている。また、貯氷庫２１の側部には、氷搬送装置１１の供給部材１２ａ（図１参照）が配置される開口部２１ｃ（図８参照）が形成されている。
【００１８】
貯氷庫２１は底部開口２１ｂを有しており、その下方には、底部開口２１ｂの前端部から後端部を超えた位置まで延在する厚板状の部材であるゲージ２２が配置されている。ゲージ２２の下方には、底部開口２１ｂの前端部から後端部まで延在する中空の閉塞部材２３が配置されている。また、閉塞部材２３の前方には、上部開口２４ａ及び下部開口２４ｂを有する上部シュート２４が配置されている。上部シュート２４の下方には、上部筐体３に設けられた放出シュート６が配置されている。上部シュート２４の下部開口２４ｂは、放出シュート６の上部開口内に収容されている。ここで、定量放出機構部２０は、一対の側壁部材２５ａ及び一対の側壁部材２５ｂ（図８参照）を連結してなるフレーム２５を備えている。貯氷庫２１、ゲージ２２、閉塞部材２３及び上部シュート２４は、フレーム２５に取り付けられた１つのユニットとして構成されている。
【００１９】
一対の側壁部材２５ａの内側側面には、前後方向に延在するレール２６がそれぞれ固定されている。ゲージ２２は、これらのレール２６によって摺動可能に支持されている。また、ゲージ２２の下部には、ラック２２ａと、ラック２２ａに噛み合うギヤ２２ｂが設けられている。ギヤ２２ｂは、上部筐体３内に設けられたモータ１６（図５参照）に連結されている。すなわち、ゲージ２２は、ラック２２ａ及びギヤ２２ｂを介してモータ１６に駆動される部材であって、モータ１６の回転方向に応じて前後方向に進退可能となっている。
【００２０】
また、ゲージ２２は、上下方向に貫通した複数の孔２２ｃを有しており、これらの孔２２ｃは、ゲージ２２が後退した位置、すなわち図３に示す位置にあるときに、貯氷庫２１の底部開口２１ｂと閉塞部材２３との間に配置されるようになっている。すなわち、各孔２２ｃの下部開口は閉塞部材２３によって塞がれた状態となっており、貯氷庫２１の底部開口２１ｂから落下した氷が、各孔２２ｃ内に保持されるようになっている。また、ゲージ２２を前進させると、内部に氷を保持した各孔２２ｃは閉塞部材２３上から上部シュート２４の上部開口２４ａ上に配置される。各孔２２ｃ内の氷は上部開口２４ａから上部シュート２４内に落下して、下部開口２４ｂを介して放出シュート６に供給され、外部に放出される構造となっている。
【００２１】
尚、図４に示すように、ディスペンサ１の上部筐体３の前面開口には、扉６２、６３が設けられている。前記扉６２には、放出シュート６から氷を放出するための氷放出スイッチや、飲料注出口６０から飲料を注出するための注出スイッチ６４等が配置された入力部と、ゲージ２２の前進量を制御する図示しない制御部とが設けられている。また、前記扉６３には、飲料注出口６１から飲料を注出するための注出スイッチ６５が配置されている。利用者が入力部を操作すると氷の供給量が設定され、その設定に基づいて制御部がゲージ２２の前進量を制御することによって、利用者の操作に応じた所定量の氷が放出される。また、閉塞部材２３の上面には、氷の通過を許容しない程度の図示しない孔が形成されており、氷が溶けて発生した水が閉塞部材２３内に導かれるようになっている。閉塞部材２３の底部には排水ポート２３ａが形成されており、閉塞部材２３内に導かれた水が排水ポート２３ａを介して外部に排出されるようになっている。
【００２２】
ここで、図５〜１０を用いて、上部筐体３内に定量放出機構部２０を着脱可能とするための構成について説明する。尚、図３は、上部筐体３内から定量放出機構部２０を取り外した状態を示したものであり、図６及び図８〜１０は、上部筐体３内に収容された定量放出機構部２０周辺の構成を、上部筐体３を省略した状態で示したものである。また、図７は、後述する保持機構部３０を示したものである。
【００２３】
図５に示すように、上部筐体３内には、前方側に開口したコ字状の断面を有する架台３１が設けられている。架台３１は、定量放出機構部２０を載置するための部材である。架台３１には、定量放出機構部２０を架台３１上に保持するための保持機構部３０が設けられている。保持機構部３０は、定量放出機構部２０を保持可能な横断部材である可動軸３２を備えている。可動軸３２は丸棒状の部材であって、その両端部を連結調整部材としての蝶ボルト３３がそれぞれ貫通している。また、架台３１の両側部には、回転部材としてのピン３４が、架台３１に対して回転可能に設けられている。蝶ボルト３３は後述するようにピン３４に螺着されており、可動軸３２とピン３４とを、それらの距離が増減可能となるように連結している。すなわち、保持機構部３０は、可動軸３２、一対の蝶ボルト３３、及び一対のピン３４から構成されている。また、上部筐体３内において、架台３１の後方側に位置する部位には、横方向に延在した状態で上部筐体３内に固定され、定量放出機構部２０の後方側への移動を規制する固定軸３５が設けられている。
【００２４】
図６に示すように、可動軸３２の両端部には、蝶ボルト３３を貫通させる貫通孔３２ａが形成されている。蝶ボルト３３は、頭部３３ａと軸部３３ｂとを有しており、軸部３３ｂが可動軸３２の貫通孔３２ａを貫通している。また、貫通孔３２ａは、蝶ボルト３３の頭部３３ａが貫通するのを阻止する大きさを有しており、可動軸３２が蝶ボルト３３の頭部３３ａ側から脱落することを防止している。蝶ボルト３３の軸部３３ｂにおいて、ピン３４側に配置される先端部には、雄ねじ部３３ｃが形成されている。ピン３４には雌ねじ部３４ａが形成されており、蝶ボルト３３の雄ねじ部３３ｃをピン３４の雌ねじ部３４ａに螺着させることによって可動軸３２とピン３４とが連結されている。すなわち、蝶ボルト３３は、その雄ねじ部３３ｃをピンに対して締めこむこと及び緩めることにより、可動軸３２とピン３４との間の距離を増減させるものである。
【００２５】
定量放出機構部２０のゲージ２２（図３参照）を支持するレール２６は、その前端部２６ａが、側壁部材２５ａの前端部２５ｄより前方側に突出するように設けられている。可動軸３２は、このレール２６の突出した部位上に配置されており、可動軸３２が側壁部材２５ａの前端部２５ｄに接触し、且つレール２６の上端部２６ｂに接触した状態となっている。また、可動軸３２及び蝶ボルト３３を回転可能に支持するピン３４は、レール２６より下方側、且つ側壁部材２５ａの前端部２５ｄより後方側に位置する部位で、架台３１に固定されている。すなわち、可動軸３２は、定量放出機構部２０の側壁部材２５ａ及びレール２６に当接して、定量放出機構部２０を後方側及び下方側に押さえている。定量放出機構部２０は、その前方側及び上方側への移動を可動軸３２によって規制され、架台３１上に保持された状態となっている。
【００２６】
ここで、可動軸３２を貫通した蝶ボルト３３の軸部３３ｂにおいて、その先端部の雄ねじ部３３ｃはピン３４の雌ねじ部３４ａに螺着されている。すなわち、蝶ボルト３３を回転させ、ピン３４に対して雄ねじ部３３ｃを緩めれば、可動軸３２とピン３４との間の距離を増やすこと（矢印Ａ参照）が可能となっている。また、ピン３４は架台３１に対して回転可能となっている。したがって、可動軸３２とピン３４との間の距離を増やすことにより、可動軸３２を、レール２６または側壁部材２５ａに接触させることなく回転（矢印Ｂ参照）させることが可能となっている。
【００２７】
すなわち、図７に示すように、可動軸３２の両端部にある蝶ボルト３３をそれぞれ緩めると、可動軸３２及び一対の蝶ボルト３３は、図７の矢印Ｃで示す位置まで移動する。次いで、図７の矢印Ｄで示すように、可動軸３２、一対の蝶ボルト３３及び一対のピン３４を回転させることが可能となっている。したがって、一対の蝶ボルト３３をそれぞれ緩めるだけで、可動軸３２による定量放出機構部２０の保持を解除して、定量放出機構部２０を架台３１上から取り外すことが可能な構成となっている。
【００２８】
図８に示すように、定量放出機構部２０の側壁部材２５ａの後端部には、切り欠き２５ｃが形成されている。この切り欠き２５ｃ内には、上部筐体３内に設けられた固定軸３５（図５参照）が受容されており、固定軸３５によって定量放出機構部２０の後方側への移動を規制している。すなわち、定量放出機構部２０は、固定軸３５によって前後方向に位置決めされるとともに、可動軸３２によって架台３１上に保持されている。
【００２９】
また、架台３１の側部には、ゲージ２２が移動する方向に沿って並べられた複数の光センサ３６が設けられている。光センサ３６は、側壁部材２５ａの内部側から外部側に突出し、ゲージ２２と連動して移動する遮光部材２７の位置に基づいて、ゲージ２２の位置を検知するものである。
【００３０】
図９に示すように、側壁部材２５ａの側部には、ゲージ２２のラック２２ａ（図３参照）と噛み合うギヤ２２ｂに連結されたギヤ１７が設けられている。ギヤ１７は、定量放出機構部２０が架台３１上で位置決めされた状態、すなわち固定軸３５（図８参照）が側壁部材２５ａの切り欠き２５ｃ内に受容された状態において、上部筐体３内のモータ１６の出力軸に設けられたギヤ１６ａと互いに噛み合うようになっている。また、側壁部材２５ｂの側部には、アジテータ２１ａ（図３参照）に連結されたギヤ１８とギヤ１８に噛み合うギヤ１９が設けられている。ギヤ１９も同様に、定量放出機構部２０が架台３１上で位置決めされると、モータ１５の出力軸に設けられたギヤ１５ａと互いに噛み合うようになっている。
【００３１】
図１０に示すように、上部シュート２４の前部には、下方側に延出する一対の支持部２４ｃが形成されており、支持部２４ｃの下方には、フレーム２５の一対の側壁部材２５ａを連結する連結軸２５ｅが配置されている。支持部２４ｃの先端部には切り欠き２４ｄが形成されており、この切り欠き２４ｄと連結軸２５ｅとを係合させることによって、上部シュート２４の前方側がフレーム２５に支持されるようになっている。また、上部シュート２４の側部には、側方に突出した突起２４ｅが形成されており、この突起２４ｅが、側壁部材２５ａの内部壁面に設けられた溝２５ｆ内に受容されることによって、上部シュート２４の後方がフレーム２５に支持されるようになっている。
【００３２】
図１１に示すように、放出シュート６は、上部シュート２４（図３参照）からの氷を受け取る固定シュート５１と、固定シュート５１の下端部に連結ピン５３を介して連結された可動シュート５２とを有している。可動シュート５２は、固定シュート５１の下端部を覆っており、連結ピン５３を支点として図１１の二点鎖線で示す位置まで回動可能となっている。したがって、図１２に示すように、飲料注出部８の注出タンク４１に氷を供給する場合、可動シュート５２を回動させて実線で示す位置にあげておけば、注出タンク４１をステージ２ａ上に載置しやすくなり、氷の放出作業が容易となる。また、可動シュート５２の前面には、可動シュート５２を回動させる際に用いられる把持部５４が設けられており、氷が放出される放出口５２ａに手を触れることなく、可動シュート５２を回動させることが可能となっている。
【００３３】
また、可動シュート５２の位置は、可動シュート５２に設けられた図示しない磁石と、上部筐体３に設けられた図示しないリードスイッチとによって検知可能となっている。可動シュート５２の位置が上方側に回動された位置にあり、且つステージ２ａ上に載置されたのが注出タンク４１ではなくカップ等の通常の容器である場合は、可動シュート５２を下方側に回動させない限り氷の放出ができないようになっている。
【００３４】
次に、この発明の実施の形態１に係るディスペンサ１の動作について説明する。
図１に示すように、製氷部４で生成された氷はストッカ５内に貯められており、ストッカ５内の氷は、氷搬送装置１１によって定量放出機構部２０に搬送される。上部筐体３の前面開口を覆う扉６２の入力部を利用者が操作すると、定量放出機構部２０が放出シュート６に供給する氷の量が設定される。
【００３５】
図３に示すように、定量放出機構部２０のゲージ２２は、ディスペンサ１が氷の放出を行っていない待機状態において、後退した位置に配置されている。すなわち、ゲージ２２の複数の孔２２ｃは、貯氷庫２１の底部開口２１ｂの下方に位置している。また、貯氷庫２１内のアジテータ２１ａは、図示しない制御部によって連続的または間欠的に回転するように動作を制御されている。したがって、アジテータ２１ａが回転することによって貯氷庫２１内で攪拌された氷は底部開口２１ｂから落下し、ゲージ２２の各孔２２ｃ内に充填される。
【００３６】
利用者が入力部を操作して放出する氷の量が設定されると、その設定に基づいてゲージ２２が駆動され、ゲージ２２は、設定された量の氷が放出される位置まで前進する。ゲージ２２が前進することにより、各孔２２ｃは閉塞部材２３上から上部シュート２４の上部開口２４ａ上に配置される。各孔２２ｃ内に充填された氷は上部開口２４ａから上部シュート２４内に落下して、下部開口２４ｂを介して放出シュート６内に供給される。放出シュート６内に供給された氷は、可動シュート５２の放出口５２ａから外部に放出される。
【００３７】
次に、ディスペンサ１における定量放出機構部２０の着脱方法、すなわち取り付け及び取り外しを行う方法について説明する。
図６に示すように、可動軸３２は側壁部材２５ａの前端部２５ｄに当接し、且つレール２６の上端部２６ｂに当接しており、それにより、定量放出機構部２０を架台３１上に保持している。また、可動軸３２は、その両端部を貫通した一対の蝶ボルト３３が、架台３１の両側部に設けられたピン３４に螺着されることによって、架台３１に連結されている。
【００３８】
以上のように架台３１上に保持された定量放出機構部２０を取り外すためには、まず一対の蝶ボルト３３がそれぞれ緩められる。蝶ボルト３３を緩めることによって、可動軸３２とピン３４との距離が増やされて、可動軸３２がピン３４から遠ざかる方向に移動する。可動軸３２が、レール２６に接触することなく回転可能となる位置まで移動すると、可動軸３２、蝶ボルト３３及びピン３４、すなわち保持機構部３０を一体として下方側に回転させることが可能となる（図７参照）。保持機構部３０を回転させることにより、定量放出機構部２０の架台３１上への保持が解除される。
【００３９】
次に、上部シュート２４が上方側に持ち上げられ、フレーム２５の連結軸２５ｅから支持部２４ｃが外される。上部シュート２４を持ち上げることにより、上部シュート２４の下部開口２４ｂが、放出シュート６の上部開口内から外される。このように、架台３１に対する定量放出機構部２０の保持が解除され、上部シュート２４が放出シュート６から取り外されると、架台３１上の定量放出機構部２０を、上部筐体３の外部に取り外すことが可能となる。
【００４０】
逆に、定量放出機構部２０を取り付ける場合、まず定量放出機構部２０が架台３１上に載置される。次いで、定量放出機構部２０を後方側に移動させると、側壁部材２５ａの後端部に形成された切り欠き２５ｃ内に上部筐体３内の固定軸３５が受容される。切り欠き２５ｃ内に固定軸３５を受容することにより、定量放出機構部２０の後方側への移動が規制され、定量放出機構部２０が前後方向に位置決めされる。また、定量放出機構部２０が固定軸３５によって位置決めされることにより、側壁部材２５ａ及び２５ｂの側部に設けられたギヤ１７及びギヤ１９と、上部筐体３内に設けられたモータ１６のギヤ１６ａ及びモータ１５のギヤ１５ａとがそれぞれ連結される。次いで、保持機構部３０が上方側に回転されるとともに、蝶ボルト３３がピン３４に締めこまれる。蝶ボルト３３を、可動軸３２が側壁部材２５ａの前端部２５ｄ及びレール２６の上端部２６ｂに当接するように締めこむことにより、定量放出機構部２０が架台３１上に保持される。
【００４１】
このように、可動軸３２とピン３４とを、それらの距離を増減させる蝶ボルト３３を介して連結したので、可動軸３２が定量放出機構部２０に当接するように距離を減らすことによって、定量放出機構部２０が架台３１に保持される。逆に、可動軸３２とピン３４との距離を増やすことによって、可動軸３２による定量放出機構部２０の保持が解除される。ここで、ピン３４は架台３１に回転可能に支持されているため、保持機構部３０を回転させることが可能となっている。したがって、可動軸３２による定量放出機構部２０の保持を解除して保持機構部３０を回転させれば、架台３１から定量放出機構部２０を取り外すことが可能となる。すなわち、可動軸３２とピン３４との間の距離を増減させるだけで、定量放出機構部２０が架台３１に着脱可能に保持されるため、ディスペンサ１において、定量放出機構部２０の着脱を容易に行うことが可能となる。
【００４２】
また、保持機構部３０を、一端に頭部３３ａを有するとともに他端に雄ねじ部３３ｃを有する蝶ボルト３３、雄ねじ部３３ｃが螺着される雌ねじ部３４ａを有するピン３４、及び雄ねじ部３３ｃの貫通を許容するとともに、頭部３３ａの貫通を阻止する大きさの貫通孔３２ａを有する可動軸３２から構成したので、架台３１に対する定量放出機構部２０の保持及び保持の解除を、ピン３４に対して蝶ボルト３３を締めこむか緩めるかにより、容易に行うことができる。
【符号の説明】
【００４３】
１  ディスペンサ（氷ディスペンサ）、４  製氷部、６  放出シュート、２０  定量放出機構部、３０  保持機構部、３１  架台、３２  可動軸（横断部材）、３２ａ  可動軸の貫通孔（横断部材の貫通孔）、３３  蝶ボルト（連結調整部材）、３３ａ  蝶ボルトの頭部（連結調整部材の頭部）、３３ｃ  蝶ボルトの雄ねじ部（連結調整部材の雄ねじ部）３４  ピン（回転部材）、３４ａ  ピンの雌ねじ部（回転部材の雌ねじ部）。
【図１】
2010270921.tif 000003
【図２】
2010270921.tif 000004
【図３】
2010270921.tif 000005
【図４】
2010270921.tif 000006
【図５】
2010270921.tif 000007
【図６】
2010270921.tif 000008
【図７】
2010270921.tif 000009
【図８】
2010270921.tif 000010
【図９】
2010270921.tif 000011
【図１０】
2010270921.tif 000012
【図１１】
2010270921.tif 000013
【図１２】
2010270921.tif 000014